(57)【要約】【課題】見た目にきれいで楽しむことができる空間線量計を提供する。【解決手段】空間線量を測定する測定器が収納された本体部１１と、この本体部１１に配設され、測定器により測定した空間線量の測定値を表示する測定値表示パネル１２と、本体部１１に配設され、装飾するための表示が可能で、かつ、表示内容を変更可能な装飾パネル部１３とを備えている。装飾パネル部１３は、例えば、装飾内容が記載された装飾シート１３Ａと、本体部１１に対して隙間を開けて配設され、本体部１１との間に装飾シート１３Ａを挿入可能とするカバーパネル１３Ｂとを有している。【選択図】図１
0003208120.tif 000002
【実用新案登録請求の範囲】
【請求項１】
空間線量を測定して表示する空間線量計であって、
空間線量を測定する測定器が収納された本体部と、
この本体部に配設され、前記測定器により測定した空間線量の測定値を表示する測定値表示パネルと、
前記本体部に配設され、装飾するための表示が可能で、かつ、表示内容を変更可能な装飾パネル部と
を備えたことを特徴とする空間線量計。
【請求項２】
前記装飾パネル部は、
装飾内容が記載された装飾シートと、
この装飾シートを挿入可能に前記本体部に対して隙間を開けて配設され、少なくとも一部は前記装飾シートが見えるように透明とされたカバーパネルとを有し、
前記装飾シートを取り替えることにより表示内容が変更可能とされた
ことを特徴とする請求項１記載の空間線量計。
【請求項３】
前記装飾パネル部は、前記本体部の上に載置され、装飾内容が記載された装飾シートを飾る配置部を有し、配置部に飾る装飾シートを取り替えることにより表示内容が変更可能とされたことを特徴とする請求項１記載の空間線量計。
【請求項４】
前記装飾パネル部は、前記本体部の上に載置され、表示画面を有する電子機器よりなることを特徴とする請求項１記載の空間線量計。
【考案の詳細な説明】
【技術分野】
【０００１】
本考案は、空間線量を測定して表示する空間線量計に関する。
【背景技術】
【０００２】
東京電力福島第１原子力発電所の事故に伴い、セシウム１３７・セシウム１３４を中心とした放射性物質による汚染が問題となっている。そこで、福島県内などでは、居室に空間線量計を置き、空間線量を常時測定することが行われている。例えば、特許文献１又は非特許文献１には、空間線量を測定する測定器が収納された本体部の表面に、空間線量の測定値を表示する表示部と、操作ボタンが設けられた空間線量計が記載されている。しかしながら、従来の空間線量計は、空間線量を測定し表示するという機能面のみが重視されており、空間線量を知る上では見やすいものの、無機質であり、居住空間には似合わないという問題があった。
【先行技術文献】
【特許文献】
【０００３】
【特許文献１】特開２００５−２４９４８３号公報
【非特許文献】
【０００４】
【非特許文献１】放射線防護用設備・機器ガイド２０１６／１７年版  公益社団法人日本アイソトープ協会  資−４２頁
【考案の概要】
【考案が解決しようとする課題】
【０００５】
本考案は、このような問題に基づきなされたものであり、見た目にきれいで楽しむことができる空間線量計を提供することを目的とする。
【課題を解決するための手段】
【０００６】
本考案の空間線量計は、空間線量を測定して表示するものであって、空間線量を測定する測定器が収納された本体部と、この本体部に配設され、測定器により測定した空間線量の測定値を表示する測定値表示パネルと、本体部に配設され、装飾するための表示が可能で、かつ、表示内容を変更可能な装飾パネル部とを備えたものである。
【考案の効果】
【０００７】
本考案の空間線量計によれば、装飾パネル部を備えるようにしたので、空間線量の測定値を表示するのみでなく、居住空間を彩る装飾品としても機能させることができる。よって、見た目にきれいで楽しむことができる。また、表示内容が変更可能とされているので、季節や気分に応じて変更することができ、楽しむことができる。
【図面の簡単な説明】
【０００８】
【図１】本考案の第１の実施の形態に係る空間線量計の構成を表す斜視図である。
【図２】図１に示した空間線量計を横から見た構成を表す図である。
【図３】本考案の第２の実施の形態に係る空間線量計の構成を表す図である。
【考案を実施するための形態】
【０００９】
以下、本考案の実施の形態について、図面を参照して詳細に説明する。
【００１０】
（第１の実施の形態）
図１及び図２は、本考案の第１の実施の形態に係る空間線量計１０の構成を表すものである。この空間線量計１０は、空間線量を測定して表示するものであり、空間線量を測定する測定器（図示せず）が収納された本体部１１と、この本体部１１に配設され、測定器（図示せず）により測定した空間線量の測定値を表示する測定値表示パネル１２とを備えている。測定値表示パネル１２は、例えば、図１に示した例では、本体部１１の前面下側に配置されているが、どこに配置されていてもよい。また、測定値表示パネル１２は、例えば、測定値をデジタル表示するものが好ましいが、どのようなものでもよい。
【００１１】
この空間線量計１０は、また、本体部１１に配設され、装飾するための表示が可能で、かつ、表示内容を変更可能な装飾パネル部１３を備えている。この装飾パネル部１３は、例えば、装飾内容が記載された装飾シート１３Ａと、本体部１１に対して隙間を開けて配設され、本体部１１との間に装飾シート１３Ａを挿入可能とするカバーパネル１３Ｂとを有している。装飾シート１３Ａは、例えば、紙やプラスチック等のシートに、絵、模様、図、書、又は、写真等の装飾が描かれたものであり、本体部１１とカバーパネル１３Ｂとの間の隙間に挿入されることにより、本体部１１を装飾するようになっている。また、必要に応じて、装飾シート１３Ａを取り換えることにより表示内容を変更することができるようになっている。
【００１２】
装飾シート１３Ａは、例えば、本体部１１に対して測定値表示パネル１２が設けられている側、すなわち前面に配設されることが好ましい。例えば、図１に示した例では、本体部１１の前面下側に測定値表示パネル１２が設けられているので、測定値表示パネル１２に対応する部分に孔１３Ｃを開け、測定値表示パネル１２の周りの本体部１１を覆うように設けられることが好ましい。カバーパネル１３Ｂは、例えば、少なくとも一部は装飾シート１３Ａが見えるように透明とされている。
【００１３】
この空間線量計１０は、例えば、居室に設置して使用される。装飾シート１３Ａは、部屋の雰囲気や好み等に応じて選択し、季節や気分等に応じて入れ替える。
【００１４】
このように本実施の形態によれば、装飾パネル部１３を備えるようにしたので、空間線量の測定値を表示するのみでなく、居住空間を彩る装飾品としても機能させることができる。よって、見た目にきれいで楽しむことができる。また、表示内容が変更可能とされているので、季節や気分に応じて変更することができ、楽しむことができる。
【００１５】
（第２の実施の形態）
図３は、本考案の第２の実施の形態に係る空間線量計２０の構成を表すものである。この空間線量計２０は、第１の実施の形態と同様に、空間線量を測定して表示するものであり、空間線量を測定する測定器（図示せず）が収納された本体部２１と、この本体部２１に配設され、測定器（図示せず）により測定した空間線量の測定値を表示する測定値表示パネル２２と、本体部２１に配設され、装飾するための表示が可能で、かつ、表示内容を変更可能な装飾パネル部２３を備えている。
【００１６】
第１の実施の形態では、装飾パネル部１３を本体部１１の前面に配設する場合について説明したが、本実施の形態は、装飾パネル部２３を本体部２１の上に載置するものである。測定値表示パネル２２は、例えば、本体部２１の前面に配置されているが、どこに配置されていてもよい。また、測定値表示パネル２２は、例えば、測定値をデジタル表示するものが好ましいが、どのようなものでもよい。
【００１７】
装飾パネル部２３は、装飾内容が記載された装飾シート２３Ａを飾る配置部２３Ｂを有し、配置部２３Ｂに飾る装飾シート２３Ａを取り替えることにより表示内容が変更可能とされている。装飾パネル部２３は、本体部２１に固定されていてもよいが、着脱可能とされていることが好ましい。装飾シート２３Ａは、第１の実施の形態で説明した装飾シート１３Ａと同様の構成を有している。配置部２３Ｂは、例えば、パネル状であり、装飾シート２３Ａを飾ることができればどのようなものでもよい。
【００１８】
なお、装飾パネル２３は、装飾シート２３Ａと配置部２３Ｂにより構成するのではなく、表示画面を有する電子機器により構成してもよい。このような電子機器としては、例えば、タブレットパソコン、デジタルフォトスタンド、又は、スマートフォンが挙げられる。
【００１９】
第２の実施の形態の空間線量計２０についても、第１の実施の形態と同様の作用・効果を得ることができる。
【００２０】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、時計、温度計、湿度計などの他の構成要素を備えていてもよい。
【符号の説明】
【００２１】
１０，２０…空間線量計、１１，２１…本体部、１２，２２…測定値表示パネル、１３，２３…装飾パネル部、１３Ａ…装飾シート、１３Ｂ…カバーパネル、１３Ｃ…孔、２３Ａ…装飾シート、２３Ｂ…配置部
【図１】
0003208120.tif 000003
【図２】
0003208120.tif 000004
【図３】
0003208120.tif 000005